(57)【要約】 【課題】  本発明は、家庭又は食堂等から出る生ごみを簡便に処理する生ゴミの醗酵容器を提供する。【解決手段】  生ゴミの醗酵容器は、底部からは空気の流入が可能にしてあると共に、上蓋の側面からは醗酵容器本体内の醗酵分解物から生ずる水蒸気含有の空気を排出可能にしてある。【選択図】        図８
2005040782.tif 000002
【特許請求の範囲】
【請求項１】
生ゴミと醗酵媒体を収納の醗酵容器本体内で醗酵させる生ゴミの醗酵容器であり、
前記醗酵容器本体に上蓋を被せ、
前記醗酵容器本体は、上面が開口で、底部から空気の流入が可能であり、
前記上蓋の側面から前記醗酵容器本体内の醗酵分解物から生ずる水蒸気含有の空気を排出可能であることを特徴とする生ゴミの醗酵容器。
【請求項２】
隙間体の上に台座を載せ、この台座の上に醗酵容器本体を載せ、この醗酵容器本体を上蓋で覆い、
前記醗酵容器本体は、上面が開口で、底部から空気の流入が可能であり、
前記上蓋の側面から前記醗酵容器本体内の醗酵分解物から生ずる水蒸気含有の空気を排出可能であることを特徴とする生ゴミの醗酵容器。
【請求項３】
醗酵容器本体と上蓋の少なくとも一方における隅部を曲折可能に形成することを特徴とする請求項１又は請求項２の生ゴミの醗酵容器。
【請求項４】
生ゴミと醗酵媒体を収納の容器本体内に攪拌翼を取り付けてなることを特徴とする生ゴミの醗酵容器。
【請求項５】
請求項４における容器本体の上部と底部の開口を介して通気可能に形成することを特徴とする請求項４の生ゴミの醗酵容器。
【請求項６】
醗酵容器を上下対称に製作し、醗酵容器の底部と上開口部に網体と載置体を着脱可能にすることを特徴とする生ゴミの醗酵容器。
【請求項７】
醗酵容器に取付けの載置体にローラ９５を取り付けることを特徴とする請求項６の生ゴミの醗酵容器。
【請求項８】
回転台にローラ６２を取付け、醗酵容器をそのローラに載置して回転可能とすることを特徴とする請求項６の生ゴミの醗酵容器。
【請求項９】
回転台の底部にローラ６６を取り付けることを特徴とする請求項６の生ゴミの醗酵容器。
【請求項１０】
生ゴミと醗酵媒体を収納の醗酵容器本体内で醗酵させる生ゴミの醗酵容器であり、
前記醗酵容器本体に上蓋を被せ、
前記醗酵容器本体は、上面が開口で、底部から空気の流入が可能であり、
前記上蓋から前記醗酵容器本体内の醗酵分解物から生ずる水蒸気含有の空気を排出可能であり、
底部に隙間形成可能な底敷石２０７ａを敷くことを特徴とする生ゴミの醗酵容器。
【発明の詳細な説明】
【技術分野】
【０００１】
本発明は、家庭又は食堂等から出る生ゴミを簡便に処理できる生ゴミの醗酵容器に関する。
【背景技術】
【０００２】
従来、家庭等からでる生ゴミの処理は、バケツ等に保管しておいて、ゴミ収集日にビニール袋に収納して廃棄物処理車によって処理しているし、又、近年、各家庭で処理可能な生ゴミ処理器を購入して、各家庭で処理をしている。
【０００３】
【特許文献１】特開２００２−２４８４４６号公報
【発明の開示】
【発明が解決しようとする課題】
【０００４】
前記のように、廃棄物処理車による廃棄物の処理には、多大な労力がかかると共に、廃棄処分場の確保が問題となるし、バケツ等に保管している間に腐って悪臭の発生ともなる。
又、生ゴミ処理器には、種々の形式があり、高価なものから安価なものまであるが、使用に当って、使いやすさの点で改良の余地がある。
そこで、本発明は、各家庭等で簡便にできる生ゴミの醗酵容器を提供するものである。
【課題を解決するための手段】
【０００５】
請求項１の生ゴミの醗酵容器は、醗酵容器本体とこの醗酵容器本体に上蓋を被せて醗酵させる。そして、醗酵容器本体の上面は開口状であり、この底部からは空気の流入が可能にしてある。又、上蓋の側面からは醗酵容器本体内の醗酵分解物から生ずる水蒸気含有の空気を排出可能にしてあるので、この生ゴミの醗酵容器は底部から空気を取り入れ、上蓋から醗酵で生ずる水蒸気含む空気を排出するので、円滑な醗酵ができる。
【０００６】
又、請求項２の生ゴミの醗酵容器は、隙間体３２の上に台座３３を載せ、この台座の上に醗酵容器本体を載せる。また、この醗酵容器の開口を上蓋で覆う。
そして、醗酵容器本体は、上面が開口であり、底部からは空気の流入が可能になっている。又、上蓋の側面から醗酵容器本体内の醗酵分解物から生ずる水蒸気含有の空気を排出可能であるので、生ゴミの醗酵容器は底部から空気を取り入れ、上蓋から醗酵で生ずる水蒸気含有の空気を排出するので、円滑な醗酵ができる。
【０００７】
請求項３の生ゴミの醗酵容器は、醗酵容器本体と上蓋の少なくとも一方における隅部を曲折可能に形成してあるので、使用時は箱状となり、収納時には平坦状にすることができる。
請求項４の生ゴミの醗酵容器は、容器本体内に攪拌翼を取り付けてなることによって、この容器本体を回転させることによって、容器本体内の生ゴミと醗酵媒体を簡便に混合することができる。
又、請求項５の生ゴミの醗酵容器は、容器本体の上部と底部の開口を介して通気可能に形成することによって、攪拌容器の他に、醗酵容器として使用可能である。
【０００８】
請求項６の生ゴミの醗酵容器は、醗酵容器を上下対称に製作し、醗酵容器の底部と上開口部に網体と載置体を着脱可能にしておくことによって、上下逆な状態で醗酵でき、醗酵容器内の水分の均等化を図ることができる。
請求項７の生ゴミの醗酵容器は、載置体にローラ９５が取り付けてあるので、醗酵容器を簡便に移動させることができる。
又、請求項８の生ゴミの醗酵容器は、回転台にローラ６２が取付けてあるので、醗酵容器を回転することができ、生ゴミ等を混合することができる。
請求項９の生ゴミの醗酵容器は、回転台の底部にローラ６６が取り付けてあるので、醗酵容器を回転台に載置した状態で搬送できる。
請求項１０のゴミの醗酵容器は、底部に隙間形成可能な底敷石２０７ａを敷くことによって、目詰まりを防止でき、底部からの空気流入が可能であると共に、上蓋から醗酵容器本体内の醗酵分解物から生ずる水蒸気含有の空気を排出可能である。
【発明の効果】
【０００９】
請求項１の生ゴミの醗酵容器は、醗酵容器本体と上蓋で構成し、醗酵容器本体の底部から空気を取り入れ、上蓋から醗酵で生ずる水蒸気含む空気を排出するので、円滑な醗酵ができる。
又、請求項２の生ゴミの醗酵容器は、醗酵容器本体と上蓋と隙間体と台座で構成し、隙間体を通って醗酵容器本体の底部から空気を取り入れ、上蓋から醗酵で生ずる水蒸気含む空気を排出するので、円滑な醗酵ができる。
請求項３の生ゴミの醗酵容器は、醗酵容器本体と上蓋の少なくとも一方における隅部を曲折可能に形成してあるので、使用時は箱状となり、収納時には平坦状にすることができるので、収納時には保管場所の節約になる。
請求項４の生ゴミの醗酵容器は、容器本体内に攪拌翼を取り付けてなることによって、この容器本体を回転させることによって、本体内の生ゴミと醗酵媒体を簡便に混合することができる、
又、請求項５の生ゴミの醗酵容器は、容器本体の開口部と底部を通気可能に形成することによって、攪拌容器の他に、醗酵容器として使用可能である。
請求項６の生ゴミの醗酵容器は、醗酵容器を上下対称に製作し、醗酵容器の底部と上開口部に網体と載置体を着脱可能にしておくことによって、上下逆な状態で醗酵でき、醗酵容器内の水分の均等化を図ることができる。
請求項７の生ゴミの醗酵容器は、載置体にローラ９５が取り付けてあるので、醗酵容器を簡便に移動させることができる。
又、請求項８の生ゴミの醗酵容器は、回転台にローラ６２が取付けてあるので、醗酵容器を回転することができ、生ゴミ等を混合することができる。
請求項９の生ゴミの醗酵容器は、回転台の底部にローラ６６が取り付けてあるので、醗酵容器を回転台に載置した状態で搬送できる。
請求項１０のゴミの醗酵容器は、隙間形成可能な底敷石２０７ａを敷くことによって、目詰まりを防止でき、底部からの空気流入が可能であり、醗酵の継続性向上となる。
【発明を実施するための最良の形態】
【００１０】
図１は、生ゴミ醗酵容器の構成部品であり、１０は上蓋、２０は醗酵容器本体、３０は基体であり、この基体３０には必ずしも必要でない基台３１の上に載置し空気通風可能な波形の隙間体３２と空気通風可能な網状の台座３３で構成してある。
上蓋１０は、醗酵容器本体２０を上から覆う（被せる）、略立方形状であり、底部（隅部ｅ〜ｇ）が開口状で、各隅部（ａ〜ｇ）は曲折可能に形成してある。そして、これらの隅部（ａ〜ｇ）を曲折可能にする構造は、例えば、特開２００１−９７３７４号公報に開示してあり、上蓋１０は後記で詳述するように平坦状に折り畳むことができる。尚、この上蓋１０は、醗酵容器本体２０の全体を覆う必要はなく、醗酵容器本体２０の上部の一部を覆う形状であってもよい。
【００１１】
上蓋１０の製作方法を概略すると、上蓋１０の各稜部（隅部と隅部の間）には、合成樹脂（ポリエチレン等）を一体成形で、薄肉状の長方形（断面形状）の内部を、正方形又は長方形に区画して、挿通孔を形成の枠部材と、その挿通孔に芯材（例えば、強化プラスチック材（例えば、細いＦＲＰポール等）や鋼線等）を挿入して構成してある骨材を、曲折可能な接合材で結合して隅部を曲折可能に構成してある。或いは、簡便にＦＲＰポール等を接合材で結合して隅部を曲折可能に構成してもよい。
そして、これらの稜部に配設の骨材を芯として、各面（正面Ａ、裏面Ｂ、左右側面Ｄ、Ｃ、上面Ｅ）を柔軟な網やシート等の囲い体を縫合や熱溶着等で結合することによって、各隅部が曲折可能な箱体を形成する。
【００１２】
尚、前記囲い体（側面Ａ〜Ｄ、上面Ｅ）は断熱効果があるように、柔軟なシート等の他に、エアキャップを形成の断熱体を挿入して空気層を形成し、断熱効果の向上を図ることが望ましい。
又、上面Ｅから僅かに下の側面Ａ〜Ｄには、空気が通気可能であるが害虫等が入らない細かい網体１３で形成してある。
尚、この網体１３は、上蓋１０の上面に形成してもよいが、この網体１３に雨水等が入らないように、雨避けカバー１４を備えておくのが望ましいが、この雨避けカバー１４は前記網体１３から醗酵の際に排出される水蒸気含有の空気の排出が可能なように、隙間を有するように形成する。
【００１３】
次に、上蓋１０の使用時と収納時における姿態の変更について、図２（Ａ）（Ｂ）を参照して説明する。
この上蓋１０は使用時には箱状であり、未使用時には平坦状である。そこで、箱状から平坦状に畳む方法について説明すると、上蓋１０はほぼ立方体の容器である。そこで、先ず、底面の隅部ｅと隅部ｇの対角線１１ｃで折曲げながら、且つ、左側面Ｄにおける隅部ａ、ｈの対角線１１ａで、一方、右側面Ｃにおいては対角線１１ａと逆向きの対角線１１ｂ（隅部ｃ、ｆ）で、各々、内側（箱内部）に折り曲げながら、剛結合の隅部ｄと隅部ｅが一致するように、ひねりながら、折り曲げて合わせると、図２（Ｂ）に示すように平面状の収納姿態になり、収納場所をとらない容器となる。
一方、この平面状の上蓋１０は、前記操作の逆手順を行うことによって、箱状の自立開口の容器となる。
【００１４】
次に、醗酵容器本体２０について説明すると、この醗酵容器本体２０は前記上蓋１０と同様に製作する。
即ち、各稜部には骨材を曲折可能な接合材で結合し、これらの稜部に配設の骨材を芯として、各面（正面Ａ、裏面Ｂ、左右側面Ｄ、Ｃ、底面Ｆ）を柔軟な網やシート等の囲い体を縫合や熱溶着等で結合することによって、各隅部が曲折可能な箱体に形成する。
【００１５】
尚、この醗酵容器本体２０の上面（隅部ａ〜ｄ）は開口状であるが、底面Ｆは、空気が通気可能な網体で形成してある。又、正面Ａと裏面Ｂ及び各側面Ｃ、Ｄは、前記上蓋の１０の側面Ａ〜Ｄと同様なシートで、縫製等で製作してある。
又、この醗酵容器本体２０は、前記上蓋１０と同様に、各隅部ａ〜ｈが曲折可能に形成してあるので、図２（Ｂ）に示すように、収納時には平坦状に折り畳み可能である。
【００１６】
尚、必ずしも必要でない基台３１は、前記醗酵容器本体２０が載置可能な大きさであり、基台３１の上に載置する波形の隙間体３２と網状の台座３３は、醗酵容器本体２０内に覆い被さる大きさである。
この隙間体３２は前記醗酵容器本体２０の底面Ｆに空気の取り入れが可能に形成すればよいので、波形状に限定されないし、網状の台座３３は後述する醗酵容器本体２０内に醗酵袋を入れたとき、醗酵容器本体２０の底面から空気の流入を阻止されないようにするものである。
【００１７】
次に、前記構成の生ゴミの醗酵容器の組み立て及び生ゴミの醗酵操作について説明する。
先ず、基台３１を置き、その上に、隙間体３２を置き、更に、台座３３を載せる。次に、醗酵容器本体２０を前記隙間体３２と台座３３に覆い被せるように置くことによって、生ゴミ醗酵容器の準備は完了した。
【００１８】
そこで、生ごみが台所等から出たら、醗酵容器本体内に生ゴミと醗酵媒体である醗酵培土、米ぬか、の順に入れ、よくかき混ぜた後に、更に、醗酵培土を入れる。
尚、生ゴミ、醗酵培土、米ぬかの割合は、醗酵培土が生ゴミに比して多い方が好ましく、１：２：０．１〜０．２程度がよい。
【００１９】
前記醗酵培土（軽石、鹿沼土、赤玉土、腐葉土等）には、生ゴミ醗酵過程に於て発生する水蒸気をできるだけ分散移行させる多孔質多空間を形成し好気醗酵を促進するものや、ゼオライト、木炭粉、活性炭、もみがら炭、多孔質陶磁片等を含有することによって臭いの吸着を行うものである。
又、この醗酵培土に、腐葉土（醗酵菌として糸状菌、放線菌、バクテリア、きのこ菌等や臭い吸着や消臭作用があるポリフェノール等の消臭物質の供給源）を加えることが望ましいが、生ゴミの種類によって種々選択することはいうまでもない。又、この醗酵培土にそばがら、籾がら、木材チップ等を混合しておくと、摩擦抵抗が低減し、混合がし易くなると共に通気性を保持するので望ましい。
【００２０】
そして、上蓋１０を取り除いて、前記生ゴミ等を直接入れた後に、上蓋１０を醗酵容器本体２０に覆い被せ、でき得れば、屋外に出して太陽光に当てると、醗酵容器本体内は昇温されて醗酵が始まる。
生ゴミが醗酵を開始すると、基台３１の上に載置する隙間体３２を通り、醗酵容器本体２０の通気可能な底面から空気が醗酵容器本体内に入る。
一方、醗酵によって発生した水蒸気は、醗酵容器本体２０の開口面を通り、上蓋１０の側面に形成の網体１３から水蒸気含有の空気として排出され、良好な空気循環の状態で醗酵する。
尚、雨が降ってきたときであっても、雨避けカバー１４を被せることによって、醗酵容器本体２０内への雨の進入は防止される。
【００２１】
また、新たな生ゴミが生じたときには、前記と同様の作業を行い、以後、この過程を、醗酵容器本体２０が満杯になるまで繰り返す。
そして、醗酵容器本体２０が満杯になったときには、醗酵分解済みの生ゴミに、米ぬか又は廃食油、或いは双方をそれぞれ２０％位まで混ぜ、この混合物と醗酵分解済みの生ゴミを１：１の割合に混ぜて、醗酵培土として再利用したり、醗酵分解済みの生ゴミに、鹿沼土や赤玉土を１：２に混ぜ合わせると、プランター等の植物生育用として利用できる。又、醗酵分解済みの生ゴミは未乾燥状態で、直接、畑にまいてもよい。
【００２２】
以上のように、生ゴミの醗酵容器は、平坦状に折り畳み可能な上蓋と醗酵容器本体及び、基体３０で構成するので、収納時（運搬時）には僅かな容量となって収納場所を取らないし、生ゴミの醗酵容器内に醗酵袋を入れるという簡便な操作によって、悪臭も出ず、害虫も寄り付かない生ゴミの醗酵ができる。
【００２３】
尚、前記上蓋１０、醗酵容器本体２０の収納姿態に到る畳方の他に、図４に示すように、左右側面Ａ、Ｂの中央で畳折りが可能に各隅部（ａ〜ｆ、ａ’〜ｆ’）を曲折可能に形成したものでもよい。或いは、前記上蓋１０、醗酵容器本体２０の隅部は曲折可能に形成してあるが、箱状を堅持するように隅部を堅固に形成するものであってもよい。
【００２４】
次に、図５、図６、図７は一括大量に醗酵処理が可能な醗酵容器５０であり、図５は構成部品図、図６は醗酵容器５０を立てて上載置体９０ａと上網体９１ａを取り外して生ゴミ等を投入する姿態、図７（Ａ）は回転台に載置状態の醗酵容器、（Ｂ）は醗酵状態の姿態である。
この醗酵容器５０は、底部５３ｂと上開口部５３ａが開放の透明な合成樹脂等の筒状の容器本体５０ａを備え、内部が見えると共に太陽光の採光を可能にする。
そして、この容器本体５０ａの壁の内側には、例えば、３０゜の傾斜状に攪拌翼５２が４個、取り付けてあり、容器本体５０ａを転倒して回転すると、内部に入れた物（生ゴミと醗酵媒体）は順次左右端に移動しながら中央に戻る運動をして混合する。
尚、この攪拌翼５２の形状は、混合する生ゴミ等によって、螺旋状等、種々の形状を適宜選択する。
【００２５】
又、容器本体５０ａの外周には、後述するローラ６２と接触する箇所に補強体９７が巻いてあると共に、ローラ６２をガイドするガイド体９８が周囲に巻いてあり、このガイド体９８によって、容器本体５０ａを回転しても補強体９７がローラ６２から脱線することはない。
この容器本体５０ａの上開口部５３ａには、フランジ５５が取り付けてあり、このフランジ５５には、後述する、通気性を有し、且つ、生ゴミ等が通らない孔径の上網体９１ａを介して、ローラ９５付きの上載置体９０ａを取り付ける。
【００２６】
尚、この上網体９１ａは、通気可能であるが、後述する生ゴミや醗酵媒体が通過しない程度の細かな金網又はパンチングメタルやパンチングプラスチック等を重ねて製作してある。
又、前記上載置体９０ａは、前記容器本体５０ａに取付けのフランジ５５を内挿可能な高さ及び直径で周囲を取り囲む輪体９３を形成し、この輪体９３に十字状に補強体９４を固定して作成し、前記フランジ５５にフック９６を介して取り付ける。又、この上載置体９０ａの補強体９４の下部には、運搬可能なローラ９５が付けてあり、醗酵容器５０の搬送を可能にする。
【００２７】
又、前記容器本体５０ａの上部の上開口部５３ａには上蓋８５を被せて醗酵させるものであり、この上蓋８５の側部には空気通気可能な通気孔８６が形成してあると共に、この上蓋８５には、頂部から前記通気孔８６を覆う状態で、周縁部から突出して形成の雨避け体８７が付設してある。尚、この上蓋８５は、醗酵容器５０の上開口部５３ａに被せても、醗酵容器内に発生する水蒸気は通気孔８６から排出可能に、隙間を有するように形成してあると共に、雨が降ってきても、容器本体５０ａ内に雨が入らないようにカバーで覆って、一部２重構造である。  また、上蓋８５の頂部には補強体８５ａを介して、透光可能で、通気不可の合成樹脂等で製作してある。
前記容器本体５０ａの底部には、前記上開口部５３ａに取付けと同じ構成の上網体９１ａと上載置体９０ａに対応する下網体９１ｂと下載置体９０ｂが、フック９６を介して着脱可能になっている。
即ち、この醗酵容器５０は上下対称に形成してあり、網体（上網体９１ａ、下網体９１ｂ）、載置体（上載置体９０ａ、下載置体９０ｂ）を底部と上開口部に着脱可能になっている。
【００２８】
次に、回転台６０に付いて図６、図７（Ａ）を参照して説明する。
この回転台６０はローラ６２が前後左右に４個、配置してあり、これらのローラ６２に前記醗酵容器５０を載せると回転可能であり、この醗酵容器５０を回転し易くするために、醗酵容器５０に取付けの上載置体９０ａや下載置体９０ｂの縁部等に回転軸と平行にハンドル等（図示略）を付設することが望ましい。
又、この回転台６０の底部にはローラ６６が取付けてあり、醗酵容器５０をローラ６２に載置した状態で、容易に搬送可能になっている。
又、この回転台６０の正面と裏面側には、回動可能な固定棒１００ａ、１００ｂが取り付けてあり、この固定棒１００ａ、１００ｂの先はＬ字状の係止体が形成してある。一方、上載置体９０ａと下載置体９０ｂには、前記固定棒１００ａ、１００ｂの先に形成の係止体を係止可能なリング体１０２が取り付けてあり、この係止体をリング体１０２に引っ掛けることによって、醗酵容器５０は回転台６０に固定され、更に、堅固に、醗酵容器５０を回転台６０に固定するために、紐等で固定してもよい。
【００２９】
次に、前記構成の醗酵容器等の使用方法等について説明する。
先ず、醗酵容器５０は回転台６０に固定された状態において（図７（Ａ）において、固定棒１００ａ、１００ｂをリング体１０２に係止すると共に安全を見てバンド等で容器本体５０ａと回転台６０を縛る）、醗酵容器５０を持ち上げて、醗酵容器５０を倒立させる。
そして、上載置体９０ａと上網体９１ａを取り除くと、上部が開放状態になり、底部は下網体９１ｂと下載置体９０ｂ取り付けられた状態になり、ローラ９５で自立するので、所定場所に容易に移動可能である（図６）。
そこで、台所等から出た生ゴミを醗酵容器５０に入れた後、醗酵媒体である醗酵培土、米ぬか等を入れる。
尚、生ゴミ、醗酵培土、米ぬかの割合は、１：２：０．１〜０．２程度であり、醗酵培土（軽石、鹿沼土、赤玉土、腐葉土等）には、好気醗酵を促進するものや、ゼオライト、木炭粉、活性炭、もみがら炭、多孔質陶磁片等を含有するものであると共に、腐葉土（醗酵菌として糸状菌、放線菌、バクテリア、きのこ菌等を含有するのが好ましい。
【００３０】
次に、前記生ゴミ等を入れて満杯（処理能力）になったら、醗酵容器５０の上載置体９０ａと上網体９１ａを取付け、固定棒１００ａ、１００ｂをリング体１０２に係止すると共に、バンド等で容器本体５０ａと回転台６０を縛った後に、醗酵容器５０を転倒させる。そして、固定棒１００ａ、１００ｂをリング体１０２から離脱させると共にバンドを外すと、醗酵容器５０は、ローラ６２に載置した状態になり回転可能になる（図７（Ａ））。
そこで、醗酵容器５０を所定回数回転させると、攪拌翼５２を介して内容物は混合され、この混合が終了したら、固定棒１００ａ、１００ｂをリング体１０２に係止すると共に、バンド等で容器本体５０ａと回転台６０を縛った後に、醗酵容器５０を倒立させ、固定棒１００ａ、１００ｂをリング体１０２から離脱し、回転台６０を醗酵容器５０から取り外す。尚、この回転台６０を醗酵容器５０から取り外すことは選択事項である。
【００３１】
そして、前記醗酵容器５０から、上載置体９０ａと上網体９１ａを取り外して上蓋８５を被せる（図７（Ｂ））。醗酵容器内の生ゴミに、醗酵培土、米ぬか等が、醗酵分解して発熱し昇温する。
尚、醗酵容器５０を屋外に出して太陽光に当てると、醗酵容器５０内は昇温されて醗酵が促進する。
この時、醗酵容器５０の底部に取付けの下載置体９０ｂ、下網体９１ｂから空気が入り、醗酵容器５０内で発生の水は、上網体９１ａ、上蓋８５の側部に形成の通気孔８６から水蒸気を含有して排出される。
【００３２】
以上のように、この醗酵容器５０はローラ９５によって移動可能であるし、回転台６０に載置した状態でもローラ６６によって搬送することができると共に、倒立させることもできる。そして、倒立した醗酵容器５０は、回転台６０を取り付けた状態で生ゴミを入れることができると共に、適宜の場所に移動させて醗酵させることができる。
又、醗酵容器５０を上下対称に製作してあるので、醗酵中（図７（Ｂ））において、水分が含有した状態になっても、上開口部と底部に上載置体９０ａ（下載置体９０ｂ）と上網体９１ａ（下網体９１ｂ）を取付け、上下を逆にして醗酵させることによって、含有水分の均等化を図ることができる。
【００３３】
次に、図８（Ａ）は、醗酵容器５０を転倒、倒立させる四角板で形成の転倒体１０３であり、この転倒体１０３は醗酵容器５０を載置し、その底に付設のローラ９５で移動可能である。又、この転倒体１０３は、前記回転台６０にはコ字状の装着体１０５で結合可能になっていると共に、転倒体１０３の上部と回転体６０の左端部を傾斜状に結合する固定棒１００ａを介して回転体６０と結合可能に構成してある。
【００３４】
そして、醗酵容器５０を回転台６０のローラ６２に載置し、回転すると、醗酵容器内の攪拌翼５２によって、生ゴミ等は混合される。尚、この醗酵容器５０を倒立させるときには、醗酵容器５０と回転台６０を紐等で縛って起こす。この醗酵容器５０は転倒体１０３に載置状態であり、ローラ９５によって、移動可能である。従って、醗酵容器５０内の醗酵した醗酵物を取り出すことができると共に、新たな生ゴミを入れることができる。
又、この回転台６０と転倒体１０３は、固定棒１００ａを取り外し、転倒体１０３を回転台６０に装着の装着体１０５を離脱させることによって、容易に分離できる。
【００３５】
次に、図８（Ｂ）は他の円筒筒状の醗酵容器２１０の構成部品図、図８（Ｃ）は断面図である。この醗酵容器本体２１０ａは筒状であり、醗酵容器本体２１０ａの側板は中心にカラー着色材や紫外線防止機能等を備える薄フィルム材２００で、この薄フィルム材２００の外側にＰＥＴ材２００ａ、この薄フィルム材２００の内側にポリプロピレン２００ｂの複合材で構成してある。尚、この様な構成の醗酵容器本体２１０ａは、紫外線を除去することによって、耐候性が増し、ポリプロピレンの寿命を伸ばすことができる。
又、底枠体２１１は、輪体２１１ａと底棒２１１ｂ等で構成してあり、輪体２１１ａの内部には前記底棒２１１ｂが十字と環体で固定して、空間を有するように形成してある。又、この底枠体２１１内には底網体２０６が装着してあり、この底網体２０６は空気通気可能な網材（大日本プラスチック（株）製ネトロンシート）２０６ａの下にポリエチレンメッシュ材２０６ｂ、更に、その下に網材（ネトロンシート）２０６ｃを積層して製作の複合材であり、これらの周囲を樹脂シート又は金属板で巻いて製作してある。従って、底網体２０６は通気可能である。
【００３６】
山型状の上蓋２１３は、醗酵容器本体の上開口部２０８を覆って雨避けとして用い、この上蓋２１３はポリプロピレンシートの上にポリエチレンフィルムを積層した構成である。又、この上蓋２１３の端部近くには、ポリプロピレンシートで形成の４本の支柱２１２が取り付けてあり、この支柱２１２と支柱２１２の間には隙間２０９が形成してある。
又、醗酵容器本体２１０ａの上開口部２０８を覆うために、不快虫防止体２２４が取り付けてある。この不快虫防止体２２４は、醗酵容器本体の開口部２０８の外面に装着する側枠体２２４ａと網体２２４ｂとで筒状に構成してあり、側枠体２２４ａはポリプロピレンシートとポリエチレンフィルムを積層して形成してあると共に、その内面（醗酵容器の外面に接する側）にはエアキャップ等のクッション材２２４ｃが貼着してあり、醗酵容器本体の外面に装着したときの密閉を図っている。
【００３７】
又、前記側枠体２２４ａの上面には、不快虫が嫌う赤色等の１００メッシュ材の網体２２４ｂを２枚程度重ねて取り付けてあると共に、前記支柱２１２と縫合等で取り付けてある。
従って、この不快虫防止体２２４と前記上蓋２１３は一体となって、醗酵容器の上開口部２０８を覆うことによって、不快虫防止体２２４（網体２２４ｂ）で覆われる醗酵容器本体内に、不快虫が入るのを防止すると共に、醗酵容器内から生ずる水蒸気は網体２２４ｂ及び隙間２０９を通って排出される。
【００３８】
底枠体２１１に底網体２０６を装着し、且つ、醗酵容器本体２１０ａを底枠体２１１に装着し、上蓋２１３を被せて構成の醗酵容器２１０は、底網体２０６から空気の流入が可能で、上蓋２１３は雨避けが可能であると共に、不快虫の進入を防止し、且つ、上蓋２１３の隙間から空気の排出が可能である。
即ち、この醗酵容器２１０は、底からの空気が醗酵容器本体を通って、上蓋２１３の隙間２０９から排出可能に構成してある。
そこで、例えば、醗酵容器内に、腐葉土又は及び赤玉土に、又はこれらの混合物に空間形成（通気性）を確保するために、難分解性の有機物で隙間を多く形成する素材として、そばがら、籾がら、木材チップ等を混合して床土として使用すると、目詰まり防止となり通気性を確保できるので望ましい。又、このようにして作る床土は、隙間が形成されるため滑り易くなり、生ゴミとの攪拌がし易くなって均一攪拌可能になる。
更には、米ぬかに砂糖や食用油等の易分解性の有機物を混ぜ合わせた分解促進剤に、前記そばがら、籾がら、木材チップ等の難分解性有機物を混合した分解促進剤を使用すると、前記同様の目詰まり防止、通気性を確保、均一攪拌を可能にする。
そして、それらの床土と分解促進剤及び生ゴミを攪拌具等で撹拌すると、前記混合物内に空隙が作成され、好気分解に必要な酸素が供給され、床土、生ゴミ、分解促進剤中に常在する分解菌で高温好気分解が促進される。
その時、生ずる分解熱は生ゴミ中の水分率７０〜９０％から生ずる水分を水蒸気として蒸発させ、過剰の水分を除去するので、生ゴミの醗酵に必要な水分６０率％以下の環境を保持し、４０〜７０℃の高温好気分解が促進される。
【００３９】
その結果、嫌気分解（メルカプタン類、アミン類、有機酸類が多く発性）に比して、好気分解では分解時に生ずる悪臭の発生が少なく、少量発生した臭いは床土に吸収され、無臭状態になる。更に、高温分解のため、不快虫の幼虫が生育できなくなるため、不快虫の発生がなく、生ゴミで最も困難とされてきた悪臭と不快虫を無くすことができる。
又、醗酵容器本体と上蓋は、採光可能に構成することによって、太陽熱を醗酵容器本体内に輻射熱として取入れ可能となり、醗酵容器本体内は最高９０℃位にまで昇温することがあり、不快虫の生育を阻止でき、高温好気分解の熱源として有効利用を図ることができる。又、醗酵容器本体内が明るいため、不快虫の生育の適した暗所環境がなくなり、不快虫の発生が抑制される。
【００４０】
尚、前記底網体２０６はポリエチレンメッシュ材２０６ｂで構成してあるが、この替りに、図９に示すように、発泡性の軽石等の隙間形成が可能な底敷石２０７ａを網材２０７ｂ、２０７ｃの間に、望ましくは４〜５ｃｍの厚さになるように敷く。又、前記底敷石２０７ａをネット状の袋に入れてマット状に敷くと、この底敷石２０７ａを洗浄して通気性を確保するのに簡便にできる。
このように、底敷石２０７ａを敷くことにより、底敷石２０７ａの隙間を通って空気の流通が可能であり、従来のように、ポリエチレンメッシュ材２０６ｂ上に腐葉土、赤玉土の細粒によって目詰まりを起こして生ゴミ分解に必要な空気の流通を阻害するのを防止する。
尚、底敷石２０７ａは網材２０７ｂ、２０７ｃに挟まれているが固定されていないので、攪拌時や軽い衝撃等で底敷石の間で移動して、目詰まり状態を解消して空気の流通が可能になる。更に、底敷石２０７ａと網材２０７ｂ、２０７ｃの隙間からは、床土や生ゴミ分解物が編目から落下することなく生ゴミ分解が良好に遂行できる。又、前記網材２０７ｂ又は及び網材２０７ｃが必要か否かは、底敷石２０７ａを醗酵生ゴミ等と区別したり、底敷石２０７ａを袋に入れた状態で敷く等、底敷石２０７ａと生ゴミ等の状態を考慮して選定する。
【００４１】
又、不快虫が産卵をすると、孵化した幼虫は微小虫（約１ｍｍ程度の長さ）のため、上蓋の隙間や底部の隙間から生ゴミ分解時の発生物質に誘われて、醗酵容器の側部に存在することがある。そこで、この不快虫の産卵を抑制するために、図９に示すように、醗酵容器の上蓋と底部を除く部分を覆う防虫メッシュカバーを装着するのが効果的である。
【００４２】
そこで、醗酵容器を覆うカバーとして図９に示す醗酵容器のカバーについて説明する。
上蓋２１３は醗酵容器本体の上開口部２０８を覆って通気性の網体２１３ａで形成してある。又、この上蓋２１３の端部近くには、ポリプロピレンシートで形成の４本の支柱２１２が取り付けてあり、この支柱２１２と支柱２１２の間には隙間２０９が形成してある。
又、前記上蓋２１３及び醗酵容器本体２１０ａを覆うために、本体蓋２５０は、その周縁部から、通気性の不快虫防止体２２４が取り付けてある。尚、この不快虫防止体２２４は微小虫（約１ｍｍ程度の長さ）が通らない程度の細かい網体等である。
【００４３】
前記、図９に示す醗酵容器は、底部から空気が入り、空気は網材２０７ｂ、底敷石２０７ａと網材２０７ｃを通って生ゴミに混入する。そして、その空気は生ゴミの醗酵に使用され、醗酵過程で生ずる水蒸気と共に、網体２１３ａを通り、支柱２１２と支柱２１２の間の隙間２０９を通り、不快虫防止体２２４から排出される。
即ち、醗酵容器は、底部から空気を流入し、上蓋２１３から水蒸気含有の空気を排出可能に形成してあればよいので、防虫メッシュカバーは、不快虫（微小虫（約１ｍｍ程度の長さ））が通らない程度の細かい網体であればよい。
【００４４】
以上のように、本願の醗酵容器は、底部から空気を取入れ、上部から水蒸気として排出可能に構成することによって、簡便な構成で良好な生ゴミの醗酵ができる。尚、本願の醗酵容器の構成は、前記実施の形態に限定されず、使用環境等を考慮して、前記記載の構成を種々の組合せで構成してもよいことは言うまでもない。
【図面の簡単な説明】
【００４５】
【図１】生ゴミ醗酵容器の構成部品図である。
【図２】（Ａ）（Ｂ）は上蓋又は醗酵容器本体の折り畳む作用を説明する図である。
【図３】醗酵容器の使用しているときを示す図である。
【図４】（Ａ）（Ｂ）は他の構成の折り畳み可能な上蓋又は容器本体を示す図である。
【図５】醗酵容器の構成部品図である。
【図６】醗酵容器５０を立てて上載置体９０ａと上網体９１ａを取り外して生ゴミ等を投入する姿態図である。
【図７】（Ａ）は回転台に載置状態の醗酵容器、（Ｂ）は醗酵状態の姿態である。
【図８】（Ａ）は醗酵容器を転倒、倒立させる転倒体、（Ｂ）は新たな醗酵容器の構成部品図、（Ｃ）は断面図である。
【図９】（Ａ）は醗酵容器の構成部品図、（Ｂ）は醗酵容器の断面図である。
【符号の説明】
【００４６】
１０  上蓋
１３  網体
２０  醗酵容器本体
３０  基体
３１  基台
３２  隙間体
３３  台座
５０  醗酵容器
５２  攪拌翼
６２  ローラ
６６  ローラ
９５ローラ
２０７ａ  底敷石
【図１】
2005040782.tif 000003
【図２】
2005040782.tif 000004
【図３】
2005040782.tif 000005
【図４】
2005040782.tif 000006
【図５】
2005040782.tif 000007
【図６】
2005040782.tif 000008
【図７】
2005040782.tif 000009
【図８】
2005040782.tif 000010
【図９】
2005040782.tif 000011